(57)【特許請求の範囲】
【請求項１】
ゲート室にゲートを設置するに当たり、
（１）ゲート室において流入口と流出口とを封水処理を施したうえで流路管により連通させる工程、
（２）ゲート室内の水を排水するとともに、前記流路管の内部に止水プラグを設置して流路管内を止水する工程、
（３）流出口に取り付けられた前記流路管の一部を流出口から一旦外した後、流出口或いは流入口にゲートを仮設する工程、
（４）流出口から一旦外した前記流路管の一部を再び封水処理を施して流出口に取り付けた後、流路管から止水プラグを除去する工程、
をそれぞれ、その順序で行うことを特徴とするゲートの不断水設置工法。
【請求項２】
前記流路管は伸縮自在な多重管から構成されることを特徴とする請求項１に記載のゲートの不断水設置工法。
【発明の詳細な説明】
【０００１】
【発明の属する技術分野】
本発明は、水流を止めることなくゲートの設置を可能とするゲートの不断水設置工法に関するものである。
【０００２】
【従来の技術】
下水路や上水路、工業用水路などにおいては水の流量をコントロールする目的で、水路を開放、閉止するゲートが設けられている場合が多い。ゲートの一例としては図４に示すように、扉体５２と、扉体５２を昇降自在に左右から挟む支柱となる戸当り５３から構成されるゲート５１が一般的であり、壁面に形成された開口部５４にあてがわれて設置され、図示しない開閉機により扉体５２が上下に昇降することで、水路の開放、閉止及び流量のコントロールが行われるようになっている。
【０００３】
そして、従来、新規にゲート５１を壁面に新設する場合、或いは既設のゲートが老朽化して新規なゲートと交換作業を行う場合などにおいては、一旦、上流側で水の流れをせき止め、水を断った状態でゲートの据付作業を行うという方法が採られていた。
【０００４】
【発明が解決しようとする課題】
このように、従来は、一旦、上流側で水をせき止めてしまうために、ゲートの設置工事期間中は下流側に水が流れず、施設の機能が一時的に停止してしまうという問題があった。特に、ゲートの据付にはコンクリート等が使用されるので、その養生時間なども含めて据付期間は長期にわたるのが一般的であり、この間、水の供給がストップしてしまうのは問題である。
【０００５】
本発明は、このような問題を解決するために創作されたものであり、ゲート室の流出口側にゲートを設置するに当たり、簡単な作業で済み、水を流したままゲートの設置が可能となるゲートの不断水設置工法を提供することを目的としている。
【０００６】
【課題を解決するための手段】
本発明は前記課題を解決するため、ゲート室にゲートを設置するに当たり、（１）ゲート室において流入口と流出口とを封水処理を施したうえで流路管により連通させる工程、（２）ゲート室内の水を排水するとともに、前記流路管の内部に止水プラグを設置して流路管内を止水する工程、（３）流出口に取り付けられた前記流路管の一部を流出口から一旦外した後、流出口或いは流入口にゲートを仮設する工程、（４）流出口から一旦外した前記流路管の一部を再び封水処理を施して流出口に取り付けた後、流路管から止水プラグを除去する工程、をそれぞれ、その順序で行うゲートの不断水設置工法を構成した。
【０００７】
また、前記流路管を伸縮自在な多重管から構成した。
【０００８】
【発明の実施の形態】
本発明について３つの実施形態例を示して説明する。図１は第１の実施の形態における側断面説明図、図２は第２の実施の形態における側断面説明図、図３は第３の実施の形態における側断面説明図である。
【０００９】
本発明のゲートの不断水設置工法は、ゲート室において流入口と流出口とを封水処理を施したうえで流路管により連通させる工程（以降、第１工程という）、ゲート室内の水を排水するとともに、前記流路管の内部に止水プラグを設置して流路管内を止水する工程（以降、第２工程という）、流出口に取り付けられた前記流路管の一部を流出口から一旦外した後、流出口或いは流入口にゲートを仮設する工程（以降、第３工程という）、流出口から一旦外した前記流路管の一部を再び封水処理を施して流出口に取り付けた後、流路管から止水プラグを除去する工程（以降、第４工程という）をそれぞれ、その順序で行うことを特徴とする。
【００１０】
［第１の実施の形態］
「第１工程」
図１（ａ）は第１工程を行う前のゲート室１の状態を示し、水路が開放され、ゲート室１が水で満たされている状態にある。ゲート室１において上流側には流入口２が、下流側には下流室４１に通ずる流出口３が形成されている。なお、本形態における流入口２は上流配管４の管口となっている。先ず、この状態から水中服等を装着した作業者が図１（ｂ）に示すように、流入口２と流出口３とを流路管５により連通させる。流路管５は伸縮自在な多重管から構成されるものであり、本形態においては流入口２側に取り付けられる導水管６と、流出口３側に取り付けられるスリーブ管７からなる二重管としてある。
【００１１】
具体的に説明すると、導水管６の管径は上流配管４の管径よりも小径であり、導水管６の端部を上流配管４内に挿入し、導水管６の外周と上流配管４の内周との間に形成される隙間をシール部材８により封水処理を施す。スリーブ管７は導水管６の外周側にスライド自在に外嵌しており、スリーブ管７を導水管６から引き伸ばした状態で、スリーブ管７の端部を流出口３に挿通させ、スリーブ管７の外周と流出口３の内縁との間に形成される隙間をシール部材９により封水処理を施す。以上の工程を終了した時点で、水は上流配管４→流路管５→下流室４１と流れ、ゲート室１には作業中に満たされていた水がそのまま残った状態となる。なお、導水管６とスリーブ管７が重なる部分の隙間は極くわずかなので漏水量も少量であるが、状況によってはこの隙間部に封水処理が施される。また、シール部材８，９としては合成ゴムなどの弾性体が挙げられる。本形態では環状（浮き輪状）を呈したエアバッグとしてあり、それぞれ流入口２及び流出口３の部位に設置したうえでエアを圧送することによりシール部材８，９を膨脹させて封水する態様となっている。
【００１２】
「第２工程」
次いで、図１（ｂ）に示すように、ゲート室１に水中ポンプ１０を設置して、ゲート室１内に溜まった水を外部（例えば下流室４１側）に排水する。また、水中服等を装着した作業者が例えば下流室４１側から図１（ｃ）に示すように、流路管５（本形態では導水管６）の内部に止水プラグ１１を挿入して、流路管５内の水流を止水する。止水プラグ１１としては、合成ゴムなどの弾性体が挙げられる。本形態では前記シール部材８，９の場合と同様にエアバッグ式としてあり、流路管５内の所定位置においてエアを圧送することにより止水プラグ１１を膨脹させて管内の流路を閉塞させる態様となっている。止水プラグ１１の配設位置は勿論、スリーブ管７側でも良く、その場合、図１（ｄ）に示されるように、スリーブ管７を縮めたときに導水管６との干渉をさけるため、スリーブ管７の端部（図１における左端）に設ければ良い。
【００１３】
以上の水中ポンプ１０による排水作業と止水プラグ１１の設置作業の順序は特に問わず、作業効率面からいえば同時に行うことが望ましい。しかし、ゲート室１が比較的大きな部屋で、排水する水の量が多い場合には排水時間が長くなるので、初期の段階で止水プラグ１１を設置すると排水している長時間の間、下流室４１側に水が流れず、ゲートの不断水設置という本来の目的から外れてしまうことにもなる。そのような場合には、水中ポンプ１０による排水完了間際に止水プラグ１１を設置すれば良い。
【００１４】
「第３工程」
第２工程が終了したら、シール部材９を除去し、流出口３に取り付けられた流路管５の一部、すなわちスリーブ管７の端部を流出口３から一旦外す作業が行われ、それはスリーブ管７を導水管６側にスライドさせて縮めることによりなされる（図１（ｄ）の状態）。これにより、流出口３回りの空間が開放されることになり、ゲート５１（図４参照）を流出口３に仮設する（図１（ｅ）の状態）。流出口３に例えば老朽化したゲートが既に据え付けられていた場合には、この流出口３回りの空間が開放された時点で取り外し、新規なゲート５１を仮設することとなる。また、ゲート５１を流入口２側に設置することも可能であり、戸当り５３（図４）を流路管５回りに通しながら搬送して流入口２に仮設する（図１（ｅ）に仮想線にて示す）。なお、本発明でいうゲートの仮設とは、単にゲート５１を流出口３（或いは流入口２）にあてがうだけに過ぎず、正確な位置決めや壁面への取り付け作業は一切行わない。したがって、この間の断水時間は極く短いものとなっている。
【００１５】
「第４工程」
ゲート５１を流出口３に仮設したら、ゲート５１の扉体５２を上部に位置させたうえで、スリーブ管７を再び引き伸ばしてその端部を流出口３に挿通させ、シール部材９により封水処理を施した後、止水プラグ１１のエアを抜いて流路管５から止水プラグ１１を除去する。以上により、水は再び上流配管４→流路管５→下流室４１と流れ、以降、作業者はドライな状態となったゲート室１において、ゲート５１の正確な位置決め作業や壁面への取り付け作業、扉体５２を昇降させる電動式の開閉機１２の設置作業に取りかかることになり、これによりゲート５１の不断水設置が実現される。
【００１６】
以上のような第１工程〜第４工程をそれぞれその順序で行う構成とすれば、簡単なゲートの不断水設置工法が実現されることとなる。特に、第２工程において前記したように水中ポンプ１０等によるゲート室１内に溜まった水の排水時間が長い場合であっても、その長時間の間、流路管５を介して水を下流側に流すことができるという効果が奏される。また、流路管５を伸縮自在な多重管から構成することで、より簡単でスピーディーな不断水設置工法を構築できる。
【００１７】
［第２の実施の形態］
本形態は、流路管５を、ボルトにより互いに連結される複数のフランジ管から構成した形態である。なお、流入口２や流出口３，上流配管４の配設態様や、シール部材８，９及び止水プラグ１１の構成は第１の実施形態と同様であり、同一の符号を付して、その説明も省略する。
【００１８】
「第１工程」
図２（ａ）の状態から、水中服等を装着した作業者が図２（ｂ）に示すように複数のフランジ管、本形態では３本のフランジ管１５ａ〜１５ｃを上流側から順に位置させ、先ず、フランジ管１５ａの一端側をシール部材８を介して流入口２に取り付ける一方、フランジ管１５ｃの一端側をシール部材９を介して流出口３に取り付け、フランジ管１５ａとフランジ管１５ｃとの間にフランジ管１５ｂを挿入して互いのフランジ部同士をボルト１６により締結固定する。これによりフランジ管１５ａ〜１５ｃからなる流路管５が流入口２と流出口３を連通し、水は上流配管４→流路管５→下流室４１と流れ、ゲート室１には作業中に満たされていた水がそのまま残った状態となる。
【００１９】
「第２工程」
次いで、図２（ｂ）に示すように、水中ポンプ１０でゲート室１内に溜まった水を外部に排水するとともに、水中服等を装着した作業者が下流室４１側から図２（ｃ）に示すように、フランジ管１５ａの内部に止水プラグ１１を位置させエアを圧送して膨脹させ流路管５における水流を止水する。
【００２０】
「第３工程」
第２工程が終了したら、ボルト１６を外してフランジ管１５ｂを撤去し、次いでシール部材９を除去してフランジ管１５ｃを流出口３から取り外す（図２（ｄ）の状態）。これにより、流出口３回りの空間が開放されることになり、ゲート５１を流出口３に仮設する（図２（ｅ）の状態）。無論、第１実施形態の場合と同様に流入口２側に仮設することも可能である。
【００２１】
「第４工程」
ゲート５１を流出口３に仮設したら、扉体５２を上部に位置させたうえで、フランジ管１５ｃの一端側をシール部材９を介して流出口３に再び取り付け、フランジ管１５ｂをボルト１６により締結固定する。その後、止水プラグ１１のエアを抜いてフランジ管１５ａから止水プラグ１１を除去する。以上により、水は再び上流配管４→流路管５→下流室４１と流れ、以降、作業者はドライな状態となったゲート室１において、ゲート５１の設置作業にかかる。
【００２２】
［第３の実施の形態］
本形態は、流路管５を、可撓性を有した管材から構成した形態である。本形態においても、流入口２や流出口３，上流配管４の配設態様や、シール部材８，９及び止水プラグ１１の構成は第１及び第２の実施形態と同様であり、同一の符号を付して、その説明も省略する。
【００２３】
「第１工程」
図３（ａ）の状態から、水中服等を装着した作業者が図３（ｂ）に示すように流路管５によりそれぞれシール部材８，９を介設して流入口２と流出口３を連通する。流路管５は合成樹脂材からなる管、例えばビニル管やゴム管などの可撓性を有した管材や、或いは、可撓性を備え、かつ伸縮自在な蛇腹形状を呈した管材等である。可撓性を有した管材とすることで、例えば流入口２と流出口３の位置が互いに上下方向にずれている場合であっても対応できるようになる。
【００２４】
「第２工程」
次いで、図３（ｂ）に示すように、水中ポンプ１０でゲート室１内に溜まった水を外部に排水するとともに、水中服等を装着した作業者が下流室４１側から図３（ｃ）に示すように、流路管５の内部に止水プラグ１１を位置させエアを圧送して膨脹させ流路管５における水流を止水する。
【００２５】
「第３工程」
第２工程が終了したら、シール部材９を除去して流路管５の端部を流出口３から取り外す（図３（ｄ）の状態）。ゲート室１が比較的大きく、つまり流入口２と流出口３との距離が大きい場合には流路管５の長さが長くなるためその分撓みやすくなり、流出口３からの取り外しも容易となる。そして、ゲート５１を流出口３に仮設する（図３（ｅ）の状態）。無論、本形態においてもゲート５１を流入口２側に仮設可能である。
【００２６】
「第４工程」
ゲート５１を流出口３に仮設したら、扉体５２を上部に位置させたうえで、流路管５の端部をシール部材９を介して流出口３に再び取り付け、止水プラグ１１のエアを抜いて流路管５から止水プラグ１１を除去する。以上により、水は再び上流配管４→流路管５→下流室４１と流れ、以降、作業者はドライな状態となったゲート室１において、ゲート５１の設置作業にかかる。
【００２７】
以上、本発明について好適となる３つの実施形態を説明したが、本発明はこれらの実施形態に限られることなく、その趣旨を逸脱しない範囲で、適宜設計変更が可能である。
【００２８】
【発明の効果】
本発明によれば簡単な作業でゲートの不断水設置工法が実現されることとなる。また、水中ポンプ等による排水作業の間でも流路管を介して水を下流側に流すことができるようになる。さらに、流路管を伸縮自在な多重管から構成することで、より簡単でスピーディーな不断水設置工法を構築できる。
【図面の簡単な説明】
【図１】第１の実施の形態における側断面説明図である。
【図２】第２の実施の形態における側断面説明図である。
【図３】第３の実施の形態における側断面説明図である。
【図４】壁面にゲートを設置する際の斜視説明図である。
【符号の説明】
１      ゲート室
２      流入口
３      流出口
４      上流配管
５      流路管
６      導水管
７      スリーブ管
８，９  シール部材
１０      水中ポンプ
１１      止水プラグ
１２      開閉機
５１      ゲート
５２      扉体
【図１】
0003849966.tif 000002
【図２】
0003849966.tif 000003
【図３】
0003849966.tif 000004
【図４】
0003849966.tif 000005